(57)【要約】【課題】スピーカから発せられる音声の指向性が良好な電子機器を提供する。【解決手段】筐体２０の外方に露出するようにキーボード２３を設ける。筐体２０の外面３１のうちのキーボード２３の手元側にパームレスト２４を設ける。筐体２０の外面３１のうちのキーボード２３及びパームレスト２４の側方に位置する領域にスピーカ収容部４０を設ける。スピーカ５１を有するスピーカユニット５０を、スピーカ収容部４０に収容されるように倒される収容位置と、スピーカ収容部４０から突出する起立位置とにわたって回動自在となるように、筐体２０に設ける。【選択図】      図３
2005109672.tif 000002
【特許請求の範囲】
【請求項１】
外面を有する筐体と、
上記筐体の外方に露出させて上記筐体に設けられたキーボードと、
上記筐体の外面のうちの上記キーボードの手元側に設けられたパームレストと、
上記筐体の外面のうちの上記キーボード及び上記パームレストの側方に位置する領域に設けられたスピーカ収容部と、
スピーカを有し、上記スピーカ収容部に収容されるように倒される収容位置と、上記スピーカ収容部から突出する起立位置とにわたって回動自在となるように、上記筐体に設けられたスピーカユニットと、を具備することを特徴とする電子機器。
【請求項２】
上記スピーカユニットは、上記筐体の外面とのなす角度が調整自在に設けられていることを特徴とする請求項１に記載の電子機器。
【請求項３】
上記スピーカユニットは、一対の側壁を有しているとともに、上記一対の側壁に一対のヒンジが設けられており、且つ、上記スピーカ収容部は、一対の起立側面を有しているとともに、上記一対の起立側面に上記一対のヒンジを受ける一対のヒンジ受けが設けられていることを特徴とする請求項１又は２に記載の電子機器。
【請求項４】
上記スピーカユニットは、上記収容位置において上記筐体の外方に露出する部分に、上記スピーカから発せられた音声を放音する放音部を有していることを特徴とする請求項１又は２に記載の電子機器。
【請求項５】
上記スピーカ収容部は、上記パームレストの側方に位置する領域に設けられていることを特徴とする請求項１又は２に記載の電子機器。
【請求項６】
上記スピーカユニットは、上記収容位置において上記筐体の外面と面一となるように上記スピーカ収容部に収容されることを特徴とする請求項１又は２に記載の電子機器。
【請求項７】
上記筐体の外面は、上記スピーカ収容部に対応する位置に、上記スピーカユニットを回動させる際に上記スピーカユニットに指を掛けるための指掛け凹部を有していることを特徴とする請求項１又は２に記載の電子機器。
【請求項８】
上面を有する筐体と、
上記筐体の上面に設けられたキーボードと、
上記キーボードを覆う閉位置と、上記キーボードを露出する開位置との間で回動可能に上記筐体に接続された表示部と、
上記筐体の上面に設けられたスピーカ収容部と、
スピーカを有し、上記スピーカ収容部に収容されるように倒される収容位置と、上記スピーカ収容部から突出する起立位置とにわたって回動自在となるように、上記筐体に設けられたスピーカユニットと、を具備することを特徴とする電子機器。
【発明の詳細な説明】
【技術分野】
【０００１】
本発明は、スピーカを備えるポータブルコンピュータのような電子機器に関する。
【背景技術】
【０００２】
ポータブルコンピュータのような電子機器には、スピーカを備えたものがある。  
このような電子機器としては、スピーカユニット部を収納するための収納部が本体の内部に設けられているものが知られている。収納部は、前方に開放するように設けられており、その内部には、ヒンジユニット部が出入自在に収納されている。スピーカユニット部は、ヒンジユニット部とヒンジ機構によりつながっている。スピーカユニット部を収納部に収納した状態では、本体の側方に設けられている開口部より音声が発せられる。スピーカユニット部を収納部から前方に引出すと、音声は天面方向に発せられる。スピーカユニット部は、収納部から引出された後、天面に向いている状態から９０度方向を変えて正面に向くように（先端部が下側に向くように）角度が調整可能である。
【０００３】
また、スピーカユニット部を収納するための収納部が本体の内部に設けられた電子機器としては、本体から側方に引出可能となるように、この本体内にスピーカユニット部を収納したものが知られている。スピーカユニット部は、スピーカから発せられた音声を放音する放音部を天面方向に向けた姿勢で本体内に収納されている。スピーカユニット部は、収納部から側方に引出された後、前後方向に角度調整が可能である（例えば、特許文献１参照。）。
【０００４】
さらに、ディスプレイ部がベース部に対して回動するように構成されたポータブル電子機器としては、スピーカアッセンブリを設けたものが知られている。ベース部には、略１／４円形状のスピーカアッセンブリが放音部を側方に向けた姿勢でベース部内に収納されている。スピーカアッセンブリは、ベース部内から側方に向かって突出する方向に回動自在である。すなわち、スピーカアッセンブリを回動させることで、放音部を前方に向かせることが可能である。
【０００５】
また、ディスプレイ部がベース部に対してヒンジ部により回動するように構成されたポータブル電子機器としては、ヒンジ部にスピーカアッセンブリを設けたものが知られている。ヒンジ部は、中央領域、左側領域、及び右側領域を有している。ディスプレイ部とベース部とはヒンジ部の中央領域で連結されている。一対のスピーカアッセンブリは、翼部と管部とを有している。スピーカは、翼部に設けられている。これらスピーカアッセンブリは、右側領域と左側領域とに設けられている。スピーカアッセンブリは、通常位置においては、その外縁がポータブル電子機器の外形と面一となるようにポータブル電子機器の後端部に配設されている。或いは、スピーカアッセンブリは、通常位置においては、その外縁がポータブル電子機器の外形と面一となるようにディスプレイ部に設けられた切り欠き部に収納されている。これらスピーカアッセンブリは、電子機器の側方に配設されるような展開位置に展開可能である。また、これらスピーカアッセンブリは、上記展開位置においては、管部を軸として回転自在である（例えば、特許文献２参照。）。
【特許文献１】特開２０００−１７２３７３号公報（段落００１７〜段落００２２、図２〜図５）
【特許文献２】米国特許第６,０７８,４９７号明細書（コラム３〜コラム６、図４、図６、及び図１０）
【発明の開示】
【発明が解決しようとする課題】
【０００６】
ところで、操作者は、一般に、前側上方から本体（ベース部）をやや見下ろすような姿勢で電子機器を操作する。よって、スピーカユニット（スピーカアッセンブリ）からの音声を操作者に良好に伝えるためには、操作者に近く、且つ、操作者の耳部に向けて（前側上方に向けて）放音されるように、スピーカユニットを本体に配置できるのが好ましい。
【０００７】
しかしながら、スピーカユニット部が本体内から前方に引出される電子機器（特許文献１に記載の技術）では、スピーカユニット部は、収納部に収納された状態（本体の側方より音声が発せられる状態）、天面を向く状態（天面方向に音声が発せられる状態）、又は、正面を向く状態（正面方向に音声が発せられる状態）のいずれかの状態で使用されるため、音声の操作者に対する指向性があまり良好ではない。
【０００８】
また、スピーカユニット部が本体内から側方に引出される電子機器（特許文献１に記載の技術）では、スピーカユニット部は、放音部が天面方向を向いている状態から前縁部が本体の載置面に当接する状態の間でしか回動させることができない。したがって、スピーカユニット部から発せられる音声を操作者側に向けて放音させることが難しい。
【０００９】
さらに、略１／４円形状のスピーカアッセンブリがベース部内から側方に向かって突出する方向に回動するポータブル電子機器（特許文献２に記載の技術）は、スピーカからの音声は側方に向けて放音される状態、又は、前方に向けて放音される状態で使用されることとなる。そのため、音声の操作者に対する指向性はあまり良好ではない。
【００１０】
なお、ヒンジ部にスピーカアッセンブリを設けたポータブル電子機器（特許文献２に記載の技術）では、ディスプレイユニットとベース部とがヒンジ部が設けられている中央領域でのみ連結されることとなるため、上記中央領域への負荷が大きくなるという問題がある。
【００１１】
本発明は、このような事情にもとづいてなされたもので、スピーカから発せられる音声の指向性が良好な電子機器の提供を目的とする。
【課題を解決するための手段】
【００１２】
本発明の１つの形態に係る電子機器は、外面を有する筐体と、上記筐体の外方に露出させて上記筐体に設けられたキーボードと、上記筐体の外面のうちの上記キーボードの手元側に設けられたパームレストと、上記筐体の外面のうちの上記キーボード及び上記パームレストの側方に位置する領域に設けられたスピーカ収容部と、スピーカを有し、上記スピーカ収容部に収容されるように倒される収容位置と、上記スピーカ収容部から突出する起立位置とにわたって回動自在となるように、上記筐体に設けられたスピーカユニットと、を具備している。
【発明の効果】
【００１３】
本発明によれば、スピーカから発せられる音声の指向性が良好な電子機器が得られる。
【発明を実施するための最良の形態】
【００１４】
以下、本発明の一実施形態を、電子機器としてのポータブルコンピュータ１に適用した図１〜図５を参照して説明する。
【００１５】
図１は、ノート型のポータブルコンピュータ１を開示している。このポータブルコンピュータ１は、表示部としてのディスプレイユニット２と、機器本体３とを備えている。
【００１６】
ディスプレイユニット２は、表示パネルとしての液晶表示パネル１１と、樹脂製のディスプレイハウジング１２とを備えている。液晶表示パネル１１としては、１５インチ型（対角線長さ約３８ｃｍ）以上の表示画面１１ａを有する大型の液晶表示パネルを好適に用いることができる。本実施形態では、液晶表示パネル１１として、例えば、１７インチ型（対角線長さ約４３ｃｍ）の表示画面１１ａを有するものを用いている。
【００１７】
ディスプレイハウジング１２は、液晶表示パネル１１の表示画面１１ａを外方に露出させた状態で、この液晶表示パネル１１を収容するものである。詳しくは、ディスプレイハウジング１２は、前壁１３ａ、４つの周壁１３ｂ〜１３ｅ、及び背壁１３ｆを有して、偏平な箱状をなしている。ディスプレイハウジング１２の前壁１３ａには、表示画面１１ａを露出させるための開口部１４が設けられている。この開口部１４は前壁１３ａの大部分にわたる大きさを有しており、この開口部１４を通じて液晶表示パネル１１の表示画面１１ａがディスプレイハウジング１２の外方に露出されている。ディスプレイハウジング１２の一端部には、ディスプレイハウジング１２の幅方向に離間して一対の脚部１５ａ，１５ｂが設けられている。
【００１８】
機器本体３は、樹脂製の筐体２０を有している。筐体２０は、上壁２１ａ、底壁２１ｂ、左右の側壁２１ｃ，２１ｄ、前壁２１ｅ、及び後壁２１ｆを有して、偏平な箱状をなしている。底壁２１ｂの外面は搭載面であって、筐体２０は、例えば、机の天板のような設置面（図示せず）に底壁２１ｂを対向させることで、上記設置面に設置可能である。
【００１９】
図１及び図２に示すように、上壁２１ａには、後側略中央に位置して、キーボード取付け部２２が設けられており、キーボード２３は、このキーボード取付け部２２に取付けられている。これにより、キーボード２３は、筐体２０の外方に露出するように、この筐体２０に設けられる。
【００２０】
また、上壁２１ａの外面３１のうち、キーボード２３の手元側（前端側）に位置する領域には、パームレスト２４がキーボード２３と並列するように設けられている。以下、上壁２１ａの外面３１のキーボード２３の前端側に位置する領域のうち、キーボード取付け部２２の左右両側縁２２ａ，２２ｂを前側に延長させてなる線分Ｌ１，Ｌ２に挟まれた領域をパームレスト２４と称する（図２参照）。
【００２１】
ところで、１５インチ型未満の比較的小型の液晶表示パネルを備えるポータブルコンピュータでは、通常、筐体の幅とキーボードの幅とが略同程度となるように設計されている。つまり、キーボードの両側方には、余剰領域が殆ど無い。
【００２２】
これに対し、本実施形態のポータブルコンピュータ１は、ポータブルコンピュータとしては比較的大型の１７インチ型の液晶表示パネル１１を備えている。そのため、筐体２０の幅がキーボード２３の幅よりも一回り大きくなるように設計されている。よって、筐体２０の上壁２１ａの外面２４ａのうち、キーボード２３及びパームレスト２４の両側方には、キーボード取付け部２２、キーボード２３、及びパームレスト２４がいずれも設けられていない余剰領域がある。以下、これら余剰領域、すなわち、上壁２１ａの外面３１の左側縁３１ａと線分Ｌ１とにより挟まれた領域及び上壁の外面３１の右側縁３１ｂと線分Ｌ２とにより挟まれた領域を夫々側部２５ａ，２５ｂと称する（図２参照）。
【００２３】
筐体２０の後端部には、筐体２０の幅方向に離間して一対の連結凹部２６ａ，２６ｂが設けられている。これら連結凹部２６ａ，２６ｂは、筐体２０の上方及び後方に向けて開放する窪みにて構成されている。ディスプレイハウジング１２の脚部１５ａ，１５ｂは、夫々筐体２０の連結凹部２６ａ，２６ｂに導かれ、筐体２０の後端部に夫々ヒンジ金具（図示せず）を介して回動可能に支持されている。
【００２４】
そのため、ディスプレイユニット２は、キーボード２３、パームレスト２４、及び側部２５ａ，２５ｂを上方から覆うように倒される閉位置と、キーボード２３、パームレスト２４、及び側部２５ａ，２５ｂを露出させるように起立する開位置とにわたって回動可能に、筐体２０に接続されている。なお、図１では、ポータブルコンピュータ１を開位置で示している。
【００２５】
また、このポータブルコンピュータは、一対のスピーカユニット５０を備えている。これらスピーカユニット５０を収容するため、筐体２０の各側部２５ａ，２５ｂには、一対のスピーカ収容部４０が設けられている。
【００２６】
図３〜図５に示すように、スピーカ収容部４０は、例えば、底面４１と、この底面４１と連続するように上方に立上る一対の起立側面４２ａ，４２ｂ及び一対の起立端面４３ａ，４３ｂとにより規定される凹部とすることができる。このスピーカ収容部４０は、スピーカユニット５０が嵌合する大きさに設定されている。すなわち、スピーカ収容部４０の深さは、スピーカ収容部４０にスピーカユニット５０を収容した際に、スピーカユニット５０が筐体２０の外面（上壁２１ａの外面３１）と略面一となるように設定されている。
【００２７】
一対の起立側面４２ａ，４２ｂには、前側に寄せて、一対のヒンジ受け４５が設けられている。一対のヒンジ受け４５は、後述するスピーカユニット５０の一対のヒンジ５８と夫々きつめに嵌合するように形成されている。
【００２８】
上壁２１ａの外面３１は、スピーカ収容部４０に対応する位置に指掛け凹部４４が設けられている。指掛け凹部４４は、例えば、スピーカ収容部４０の後側の起立端面４３ｂと連続するように設けられている。
【００２９】
筐体２０内には、後述するスピーカ５１の端子５６ａを電源（図示せず）と電気的に接続させるためのスピーカ用端子（図示せず）が設けられている。スピーカ収容部４０の一方の起立側面４２ａ，４２ｂ、例えば起立側面４２ｂには、開口部（図示せず）が設けられており、上記スピーカ用端子は、この開口部からスピーカ収容部４０側に露出している。
【００３０】
ところで、スピーカユニット５０からの音声を操作者に良好に伝えるためには、操作者の近く、すなわち、筐体２０の前側に寄せて、スピーカ５１を配置できるのが好ましい。したがって、本実施形態では、スピーカ収容部４０を、パームレスト２４の側方に設けている。
【００３１】
なお、スピーカ収容部４０及びスピーカユニット５０がキーボード操作の邪魔になり易いような場合等には、スピーカ収容部４０は、キーボード２３の側方に設けてもよい。さらに、スピーカ収容部４０は、キーボード２３の側方とパームレスト２４の側方との境界部分に設けてもよい。
【００３２】
スピーカユニット５０は、スピーカ５１と、このスピーカ５１を収容するハウジング５２とを有してユニット化されている。図３〜図５に示すように、ハウジング５２は、上壁５３ａ、下壁５３ｂ、左右の側壁５３ｃ，５３ｄ、前壁５３ｅ、及び後壁５３ｆを有して、偏平な箱状をなしている。スピーカユニット５０を回動させた時にスピーカ収容部４０の前端部（前側の起立端面４３ａや底面４１の前端部）と干渉しないように、上壁５３ａと前壁５３ｅとにより形成される角部及び下壁５３ｂと前壁５３ｅとにより形成される角部は、前壁５３ｅの幅方向全域に渡って丸められている。
【００３３】
スピーカ５１は、ハウジング５２内に収容されている。下壁５３ｂには、前壁５３ｅ側に寄せて開口部５７が形成されており、スピーカ５１から延びる配線５６は、この開口部５７を介してハウジング５２の外方に延出している。配線５６の先端部には、端子５６ａが設けられている（図４参照）。
【００３４】
ハウジング５２の上壁５３ａには、略楕円形状の開口部５４が形成されている。この開口部５４は、スピーカ５１から発せられた音声を放音する放音部となる。開口部５４には、メッシュ部材５５が嵌め込まれている（図１〜図３参照）。
【００３５】
ハウジング５２の両側壁５３ｃ．５３ｄには、一対のヒンジ５８が突没自在に設けられている。詳しくは、ハウジング５２の側壁５３ｃ，５３ｄには、前壁５３ｅ側に寄せて一対の開口部５９（一方のみ図示）が設けられている。一対のヒンジ５８は、ハウジング５２の側方に突出する方向に図示しないばね部材で付勢されており、開口部５９を介して、ハウジング５２の側方に突出している（図４及び図５参照）。
【００３６】
なお、ヒンジ５８は、必ずしもハウジング５２に対して突没自在としなくてもよい。スピーカユニット５０に設けられるヒンジ５８は、例えば、筐体２０やヒンジ５８自体を弾性変形させながらヒンジ受け４５に嵌合させるようなものであってもよい。
【００３７】
スピーカユニット５０は、以下のようにして筐体１０に取付ける。まず、スピーカ５１から延びる配線５６の端子５６ａを上記スピーカ用端子と電気的に接続させる。ヒンジ５８をハウジング５２内に押し込み、スピーカユニット５０の下壁５３ａを下側に向けた状態（放音部である開口部５４側を上側に向けた状態）で、スピーカユニット５０をスピーカ収容部４０に収容させる。スピーカユニット５０の下壁５３ａの外面がハウジング５２の底面４１と接触するまで、スピーカユニット５０をハウジング５２内に収容すると、ヒンジ５８がヒンジ受け４５と対向する。ばね部材により付勢されているヒンジ５８は、ヒンジ受け４５と対向すると、ハウジング５２から突出してヒンジ受け４５と嵌合する。
【００３８】
これにより、スピーカユニット５０は、筐体２０に回動可能に支持される。そして、スピーカ収容部４０内に収容されるように倒される収容位置（図１及び図２参照）と、筐体３０の外面３１に対して起立するようにスピーカ収容部４０から突出する起立位置（図３及び図５参照）とにわたって回動自在となる。また、スピーカ収容部４０の深さは、スピーカ収容部４０にスピーカユニット５０を収容した際に、スピーカユニット５０が筐体１０の外面３１と面一となるように設計されている。よって、スピーカユニット５０は、上記収容位置において、筐体２０の外面３１と面一となるようにスピーカ収容部４０に収容される。
【００３９】
このポータブルコンピュータ１で音声を聞くときは、以下のようにすればよい。
【００４０】
上述のように、ヒンジ５８はヒンジ受け４５ときつめに嵌合している。よって、スピーカユニット５０は、収容位置と起立位置との間においては、いかなる傾斜を与えても、ヒンジ５８とヒンジ受け４５との間の摩擦力により固定される。すなわち、スピーカユニット５０は、筐体２０の上壁２１ａの外面３１とのなす角度が無段階で調整自在である。
【００４１】
よって、スピーカ５１からの音声を、指向性が良好な状態で聞きたい場合には、指掛け部４４に指を掛けて、スピーカユニット５０を筐体２０の上壁２１ａの外面３１に対して所望の角度となるように立ち上げればよい。
【００４２】
また、スピーカユニット５０は、ハウジング５２の上壁５３ａに放音部としての開口部５４を有している。つまり、開口部５４は、上記収容位置において、筐体２０の外方に露出する部分に設けられることとなる。
【００４３】
よって、スピーカユニット５０を筐体２０から突出させたくない場合には、スピーカユニット５０を収容位置とすればよく、上記収容位置であっても、スピーカ５１から発せられる音声を良好に聞くことができる。しかも、スピーカユニット５０は、上記収容位置において筐体２０の外面３１と面一となるようにスピーカ収容部４０に収容されるため、キーボード２３の操作の邪魔になり難い。
【００４４】
以上のように、本実施形態のポータブルコンピュータによれば、スピーカ収容部４０が、筐体２０の外面３１（上壁２１ａの外面３１、すなわち、上面）のうちのキーボード２３及びパームレスト２４の側方に位置する領域に設けられているとともに、スピーカユニット５０が、スピーカ収容部４０に収容されるように倒される収容位置と、スピーカ収容部４０から突出する起立位置とにわたって回動自在となるように、筐体２０に設けられている。よって、本実施形態によれば、スピーカ５１から発せられる音声の指向性が良好なポータブルコンピュータ１が得られる。
【００４５】
また、スピーカユニット５０は、筐体２０の外面３１とのなす角度が調整自在に設けられているため、スピーカ５１から発せられる音声を所望の方向に放音させるように調整することができる。
【００４６】
さらに、スピーカユニットの一対の側壁５ａｃ，５３ｄに、一対のヒンジ５８が設けられているとともに、スピーカ収容部４０の一対の起立側面４２ａ，４２ｂに一対のヒンジ５８を受ける一対のヒンジ受け４５が設けられているので、スピーカユニット５０を簡単な構成で収容位置と起立位置とにわたって回動させることができる。
【００４７】
また、スピーカユニット５０は、上記収容位置において筐体２０の外方に露出する部分に、スピーカ５１から発せられた音声を放音する放音部としての開口部５４を有している。そのため、上記収容位置においてもスピーカからの音声を筐体２０の外方に良好に放音させることができる。
【００４８】
さらに、スピーカ収容部４０を、パームレスト２４の側方に位置する領域に設けている、つまり、スピーカ５１を筐体２０の前側に寄せて配置している。そのため、スピーカ５１から発せられる音声をより良好に前側（操作者側）に伝えることができる。
【００４９】
また、筐体２０の外面３１は、スピーカ収容部４０に対応する位置に、スピーカユニット５０を回動させる際にスピーカユニット５０に指を掛けるための指掛け凹部４４を有している。よって、スピーカユニット５０を容易に上記起立位置に回動させることができる。
【００５０】
なお、本発明は、上述した実施形態に限定されるものではなく、本発明の要旨を逸脱しない範囲においては種々の態様で実施し得ることは言うまでも無い。
【図面の簡単な説明】
【００５１】
【図１】本発明の一実施形態に係るポータブルコンピュータを示す斜視図。
【図２】図１のポータブルコンピュータの機器本体を示す上面図。
【図３】図１のポータブルコンピュータが備える機器本体の一部をスピーカユニットを起立位置に回動させた状態で前側から見た斜視図。
【図４】図１のポータブルコンピュータが備える機器本体とスピーカユニットとを示す分解斜視図。
【図５】図１のポータブルコンピュータが備える機器本体の一部をスピーカユニットを起立位置に回動させた状態で後側から見た斜視図。
【符号の説明】
【００５２】
１…電子機器（ポータブルコンピュータ）、  ２…表示部（ディスプレイユニット）、  ２０…筐体、  ２３…キーボード、  ２４…パームレスト、  ４０…スピーカ収容部、  ４２ａ，４２ｂ…起立側面、４４…指掛け凹部、  ４５…ヒンジ受け、  ５０…スピーカユニット、  ５１…スピーカ、  ５３ａ，５３ｄ…側壁、  ５４…放音部（開口部）  ５８…ヒンジ
【図１】
2005109672.tif 000003
【図２】
2005109672.tif 000004
【図３】
2005109672.tif 000005
【図４】
2005109672.tif 000006
【図５】
2005109672.tif 000007